【手続補正書】
【提出日】令和3年12月3日(2021.12.3)
【手続補正１】
【補正対象書類名】特許請求の範囲
【補正対象項目名】全文
【補正方法】変更
【補正の内容】
【特許請求の範囲】
【請求項１】
コンピュータ実行可能な指令を含むコンピュータ読み取り可能なプログラムであって、前記指令は、少なくともコンピュータのプロセッサによって実行されると、前記コンピュータに以下の動作を行わせ、前記動作は、
少なくとも前記プロセッサが、要求を規定する複数の選択可能な入力を備えるグラフィカルユーザーインターフェイスを表示するように前記コンピュータのディスプレイを制御することと、
少なくとも前記プロセッサが、柔軟なエネルギー情報の集計に関連付けられたスクリプトを生成するために前記グラフィカルユーザーインターフェイスを介して前記要求を受信することとを含み、前記要求は、（ｉ）対象データベースと、（ｉｉ）複数のエネルギー次元と、（ｉｉｉ）少なくとも１つのエネルギーオペレーションとを識別し、
前記動作は、さらに、
前記要求に応答して、（ｉ）少なくとも前記プロセッサが、利用可能なエネルギー次元のセットから前記複数のエネルギー次元を選択し、（ｉｉ）少なくとも前記プロセッサが、前記複数のエネルギー次元の複数の組み合わせを決定し、（ｉｉｉ）少なくとも前記プロセッサが、前記複数のエネルギー次元の各前記組み合わせに対するエネルギーバケツを生成し、（ｉｖ）少なくとも前記プロセッサが、複数の前記エネルギーバケツに基づいて前記スクリプトを生成することと、
少なくとも前記プロセッサが、ネットワーク接続を介してリモート対象サーバ上の前記対象データベースにアクセスすることと、
少なくとも前記プロセッサが、前記対象データベース上で前記スクリプトを実行し、（ｉ）前記対象データベースにおける動的テーブルに入る、各前記エネルギーバケツにマッチするデータの抽出を開始し、（ｉｉ）前記動的テーブルにおいて、前記要求に対応する、エネルギー情報を生成するために前記動的テーブルに抽出された前記データ上で前記少なくとも１つのエネルギーオペレーションを走らせることと、
少なくとも前記プロセッサが、カスタマイズされたエネルギー情報を当該エネルギー情報に基づいて表示するように前記グラフィカルユーザーインターフェイスを制御することとを含む、コンピュータ読み取り可能なプログラム。
【請求項２】
前記グラフィカルユーザーインターフェイスは、少なくとも１つのネットワーク接続上でエネルギーオペレーションを走らせるための集中型の手法において複数のリモート装置によりアクセス可能であり、前記グラフィカルユーザーインターフェイスは、手作業でコードを書くことなく前記エネルギーオペレーションを走らせるためのエネルギー情報スクリプトを生成するために使用可能である、請求項１に記載のコンピュータ読み取り可能なプログラム。
【請求項３】
少なくとも前記プロセッサにより実行されると、以下の動作を前記コンピュータに行わせる指令をさらに備え、当該動作は、
前記動的テーブルにおいてエネルギー情報の第２のレベルを当該エネルギー情報に基づいて識別するために第２のスクリプトを生成することと、
前記対象データベース上で前記第２のスクリプトを実行し、（ｉ）前記対象データベースにおける第２の動的テーブルに入る第２のデータの抽出を開始し、（ｉｉ）前記第２の動的テーブルにおける前記カスタマイズされたエネルギー情報を生成するために、前記第２の動的テーブルに抽出された前記第２のデータ上で第２のエネルギーオペレーションを走らせることとを含む、請求項１または２に記載のコンピュータ読み取り可能なプログラム。
【請求項４】
少なくとも前記プロセッサにより実行されると、以下の動作を前記コンピュータに行わせる指令をさらに備え、当該動作は、
閾値使用量を超えるエネルギー使用量を識別するために、前記カスタマイズされたエネルギー情報を分析することと、
前記カスタマイズされたエネルギー情報の第１の部分において前記エネルギー使用量が前記閾値使用量を超えると決定することに応答して、前記第１の部分がハードウェアの故障に関連付けられていると決定することと、
前記ハードウェアの故障を正すための動作を行うための是正指令を生成することと、
ネットワーク接続を介してリモート装置へ前記是正指令を伝達することとを含む、請求項１〜３のいずれか１項に記載のコンピュータ読み取り可能なプログラム。
【請求項５】
前記複数のエネルギー次元の各前記エネルギー次元は、エネルギー関連情報のセグメントを識別するために使用可能な属性の集合を規定し、各前記エネルギーバケツは、当該エネルギーバケツを生成するために用いられる複数のエネルギー次元により規定されたそれぞれの属性の組み合わせを備えるデータ構造である、請求項１〜４のいずれか１項に記載のコンピュータ読み取り可能なプログラム。
【請求項６】
コンピューティングシステムであって、前記コンピューティングシステムは、
メモリに接続されるプロセッサと、
コンピュータ読み取り可能な媒体上に格納され、指令とともに構成されている制御モジュールとを備え、前記指令は、前記プロセッサにより実行されると、前記プロセッサに以下の動作を行わせ、前記動作は、
要求を規定する複数の選択可能な入力を備えるグラフィカルユーザーインターフェイスを表示するように前記コンピューティングシステムのディスプレイを制御することと、
柔軟なエネルギー情報の集計に関連付けられたスクリプトを生成するために、前記グラフィカルユーザーインターフェイスを介して前記要求を受信することとを含み、前記要求は、（ｉ）対象データベースと、（ｉｉ）複数のエネルギー次元と、（ｉｉｉ）少なくとも１つのエネルギーオペレーションとを識別し、
前記動作は、さらに、
前記要求に応答して、（ｉ）利用可能なエネルギー次元のセットから前記複数のエネルギー次元を選択し、（ｉｉ）前記複数のエネルギー次元の複数の組み合わせを決定し、（ｉｉｉ）前記複数のエネルギー次元の各前記組み合わせに対するエネルギーバケツを生成し、（ｉｖ）複数の前記エネルギーバケツに基づいて前記スクリプトを生成することと、
ネットワーク接続を介してリモート対象サーバ上の前記対象データベースにアクセスすることと、
前記対象データベース上で前記スクリプトを実行し、（ｉ）前記対象データベースにおける動的テーブルに入る、各前記エネルギーバケツにマッチするデータの抽出を開始し、（ｉｉ）前記動的テーブルにおいて、前記要求に対応する、エネルギー情報を生成するために前記動的テーブルに抽出された前記データ上で前記少なくとも１つのエネルギーオペレーションを走らせることと、
カスタマイズされたエネルギー情報を当該エネルギー情報に基づいて表示するように前記グラフィカルユーザーインターフェイスを制御することとを含む、コンピューティングシステム。
【請求項７】
前記対象データベース上で前記スクリプトを実行することは、各前記エネルギーバケツにマッチする前記データが、前記リモート対象サーバ上の前記対象データベースに格納されている間に前記少なくとも１つのエネルギーオペレーションによりオンザフライでシームレスに修正されるようにする、請求項６に記載のコンピューティングシステム。
【請求項８】
前記制御モジュールは、指令とともにさらに構成されており、当該指令は、前記プロセッサにより実行されると、前記プロセッサに以下の動作を行わせ、当該動作は、
興味を持った複数のエンティティに関連付けられたトランザクションにおける不一致を識別することと、
前記カスタマイズされたエネルギー情報に基づいて前記不一致を解決することとを含む、請求項６または７に記載のコンピューティングシステム。
【請求項９】
プロセッサを備えるコンピューティング装置により行われる、コンピュータで実施される方法であって、前記コンピュータで実施される方法は、
少なくとも前記プロセッサが、要求を規定する複数の選択可能な入力を備えるグラフィカルユーザーインターフェイスを表示するようにディスプレイを制御することと、
少なくとも前記プロセッサが、柔軟なエネルギー情報の集計に関連付けられたスクリプトを生成するために、前記グラフィカルユーザーインターフェイスを介して前記要求を受信することとを含み、前記要求は、（ｉ）対象データベースと、（ｉｉ）複数のエネルギー次元と、（ｉｉｉ）少なくとも１つのエネルギーオペレーションとを識別し、
前記方法は、さらに、
前記要求に応答して、（ｉ）少なくとも前記プロセッサが、利用可能なエネルギー次元のセットから前記複数のエネルギー次元を選択し、（ｉｉ）少なくとも前記プロセッサが、前記複数のエネルギー次元の複数の組み合わせを決定し、（ｉｉｉ）少なくとも前記プロセッサが、前記複数のエネルギー次元の各前記組み合わせに対するエネルギーバケツを生成し、（ｉｖ）少なくとも前記プロセッサが、複数の前記エネルギーバケツに基づいて前記スクリプトを生成することと、
少なくとも前記プロセッサが、ネットワーク接続を介してリモート対象サーバ上の前記対象データベースにアクセスすることと、
少なくとも前記プロセッサが、前記対象データベース上で前記スクリプトを実行し、（ｉ）前記対象データベースにおける動的テーブルに入る、各前記エネルギーバケツにマッチするデータの抽出を開始し、（ｉｉ）前記動的テーブルにおいて、前記要求に対応する、エネルギー情報を生成するために前記動的テーブルに抽出された前記データ上で前記少なくとも１つのエネルギーオペレーションを走らせることと、
少なくとも前記プロセッサが、カスタマイズされたエネルギー情報を当該エネルギー情報に基づいて表示するように前記グラフィカルユーザーインターフェイスを制御することとを含む、コンピュータで実施される方法。